(57)【要約】【課題】迷子になったことを子供自身や係員が認識しなくとも、子供の居場所を認識し連絡を取ることを可能とし、連れ去りや置き去りの防止を可能とする。【解決手段】ＩＣタグ番号を保持する親子グループ用タグ１００４と、ＩＣタグ番号をグループ化し、グループＩＤとともに親子情報ＤＢ１０２０に登録する親子タググループ処理手段１０１１と、位置情報取得用リーダ１００１で取得したＩＣタグ番号と該リーダの位置番号を位置情報ＤＢ１０２１に登録するグループ位置取得処理手段１０１２と、同一グループのメンバーの位置を表示するグループ位置表示処理手段１０１３を有する。退場ゲート以外から退場した場合には警告し、退場ゲートから退場した場合には正常退場とみなしＤＢ１０２０に退場日時を登録する。携帯電話のメールアドレスや電話番号をＤＢ１０２０に登録しておき、同一グループの他のメンバーに連絡可能とする。【選択図】図１
2010182156.tif 000002
【特許請求の範囲】
【請求項１】
施設内に入場するグループの各メンバーに装着されるＩＣチップの識別情報を保持するグループ用タグと、
該グループ用タグに保持されている前記ＩＣチップの識別情報をグループ毎に異なるグループＩＤを付与してグループ化し、該ＩＣチップの識別情報を該付与されたグループＩＤとともにメンバー情報データベースに登録するタググループ処理手段と、
位置情報取得用リーダにより前記グループ用タグから前記ＩＣチップの識別情報を取得し、該取得したＩＣチップの識別情報と該位置情報取得用リーダの設置位置に対応して付与された位置番号を位置情報データベースに登録するグループ位置取得処理手段と、
前記グループ用タグから取得したＩＣチップの識別情報により前記位置情報データベースおよび前記メンバー情報データベースを参照し、当該グループ用タグと同一グループに属する全てのグループ用タグの位置情報を表示装置に表示するグループ位置表示処理手段
を具備することを特徴とするグループメンバー位置監視システム。
【請求項２】
請求項１記載のグループメンバー位置監視システムにおいて、
前記グループ用タグを装着したメンバーが、予め決められた退場ゲート以外の出口を通過して退場した場合に、点滅光あるいは警告音を発する不正退場警告装置を設けたことを特徴とするグループメンバー位置監視システム。
【請求項３】
請求項１記載のグループメンバー位置監視システムにおいて、
前記グループ用タグを装着したメンバーが、予め決められた退場ゲートを通過して退場した場合に、正常退場とみなして前記メンバー情報データベースに退場日時を登録することを特徴とするグループメンバー位置監視システム。
【請求項４】
請求項１から３のいずれかに記載のグループメンバー位置監視システムにおいて、
前記タググループ処理手段は、前記ＩＣチップの識別情報、前記付与されたグループＩＤとともに、当該メンバーが保有する携帯電話端末のメールアドレスおよび／または携帯電話番号を取得し、前記メンバー情報データベースに登録することを特徴とするグループメンバー位置監視システム。
【請求項５】
請求項４記載のグループメンバー位置監視システムにおいて、
前記グループ用タグから読み取ったＩＣチップの識別情報により前記メンバー情報データベースを検索することにより、同一グループに属する他のメンバーが保有する携帯電話端末のメールアドレスおよび／または携帯電話番号を抽出して表示画面に表示することを特徴とするグループメンバー位置監視システム。
【請求項６】
グループ用タグが保持しているＩＣチップの識別情報をグループ毎に異なるグループＩＤを付与してグループ化するステップと、
該ＩＣチップの識別情報を該付与されたグループＩＤとともにメンバー情報データベースに登録する親子タググループ処理ステップと、
位置情報取得用リーダにより前記グループ用タグから前記ＩＣチップの識別情報を取得ステップと、
該取得したＩＣチップの識別情報と該位置情報取得用リーダの設置位置に対応して付与された位置番号を位置情報データベースに登録するグループ位置取得処理ステップと、
前記グループ用タグから取得したＩＣチップの識別情報により前記位置情報データベースおよび前記メンバー情報データベースを参照し、当該グループ用タグと同一グループに属する全てのグループ用タグの位置情報を表示装置に表示するグループ位置表示処理ステップと
を有することを特徴とするグループメンバー位置監視方法。
【請求項７】
請求項６記載のグループメンバー位置監視方法において、
前記グループ用タグを装着したメンバーが、予め決められた退場ゲート以外の出口を通過して退場した場合に、不正退場警告装置により点滅光あるいは警告音を発するとともに、予め決められた退場ゲートを通過して退場した場合に、正常退場とみなして前記メンバー情報データベースに退場日時を登録するステップを有することを特徴とするグループメンバー位置監視方法。
【請求項８】
請求項６または７記載のグループメンバー位置監視方法において、さらに、
前記ＩＣチップの識別情報、前記付与されたグループＩＤとともに、当該メンバーが保有する携帯電話端末のメールアドレスおよび／または携帯電話番号を取得し、前記メンバー情報データベースに登録するステップと、
前記グループ用タグから読み取ったＩＣチップの識別情報により前記メンバー情報データベースを検索することにより、同一グループに属する他のメンバーが保有する携帯電話端末のメールアドレスおよび／または携帯電話番号を抽出して表示画面に表示するステップを有することを特徴とするグループメンバー位置監視方法。
【請求項９】
コンピュータを、請求項１から５のいずれかに記載のグループメンバー位置監視システムにおける各手段として機能させるためのプログラム。
【発明の詳細な説明】
【技術分野】
【０００１】
本発明は、遊園地、公園、デパート、病院、展覧会場、博覧会、見本市、博物館、テーマパーク、野球場、サッカー場などの予め決められた敷地あるいは施設、設備（本発明では、これらを総称して敷地という）の内部においてＲＦＩＤタグを組み込んだＩＣチップを用いて親子，家族，会社の同僚，あるいは学校仲間などのグループを構成する各メンバーの位置を監視するグループメンバー位置監視技術に係り、例えばグループが親子の場合、子供がはぐれて迷子になったり不審者に連れ去られたりした場合に、親が子供の位置を正確にかつ迅速に知ることが可能なグループメンバー位置監視システムおよび位置監視方法、ならびにそのためのプログラムに関するものである。
【背景技術】
【０００２】
子供迷子防止システムの従来技術として、例えば、特開２００４−４８３５７号公報「通信システム」（特許文献１）や特開２００５−２１６１０７号公報「迷子予防捜索システム及び道案内システムとそれらを利用した自動交番システム」（特許文献２）に開示されたものがある。
【０００３】
ａ）特許文献１に開示されたものは、博覧会やテーマパーク等の会場において、迷子が発見された場合、保護者に短時間で連絡を取ることができる通信システムを提供することを目的とし、そのために、ＩＣタグと、第一の携帯電話と、第二の携帯電話と、携帯電話に接続するリーダライタ装置とを備え、リーダライタ装置を保護者の連絡先である第一の携帯電話に接続して、第一の携帯電話の電話番号情報を読み出し、読み出した電話番号情報をＩＣタグに書き込み、該ＩＣタグに紐を通し、迷子が想定される人物の首から提げて所持させ、迷子が想定される人物が迷子として会場係員に発見された場合、会場係員が所持している第二の携帯電話をリーダライタ装置に接続し、迷子の所持しているＩＣタグから第一の携帯電話の電話番号情報を読み出して発信し、連絡を取るようにしたものである。
【０００４】
ｂ）特許文献２に開示されたものは、都会の雑踏や遊園地の中等で、同伴している子供が迷子になったり、仲間同士ではぐれた時に、互いに居場所を確認しあう迷子予防捜索システムと、目的地に行く道が分からない人に道案内を行う道案内システムを提供することを目的とし、そのために、利用者（母親）が自動販売機に指定の金額を支払って得られる２枚のＩＣタグを利用者と子供で１枚ずつ所持するようにし、母親と子供が離れ離れになってしまった時には、子供が近くにある自動販売機に行って、自分のＩＣタグを自動販売機に提示すると、そのタグの保有者がどの自動販売機の前にいるかの情報がサーバに送られ、母親の方も、近くの自動販売機に行き、自分のＩＣタグを自動販売機に提示すると、そのタグの保有者がどの自動販売機の前にいるかの情報がサーバに送られようにしたものである。その結果、母親と子供はそれぞれ自分の相手がどこにいるかが判明するようにしたものである。
【先行技術文献】
【特許文献】
【０００５】
【特許文献１】特開２００４−４８３５７号公報
【特許文献２】特開２００５−２１６１０７号公報
【発明の概要】
【発明が解決しようとする課題】
【０００６】
一般的に、従来の子供迷子防止システムは、子供が迷子になった場合の連絡方法や相手の居場所を知らせるためのシステムであり、上述した従来技術も次のような課題を有している。
【０００７】
特許文献1に記載の通信システムでは、子供が迷子になったことを子供自身や会場係員が認識しないと連絡することができず、その結果、所期の目的を達成することができないという問題点がある。
【０００８】
また、特許文献２記載の迷子予防捜索システムでは、子供自身が自分の居場所を親に知らせるために、子供自身が自ら近くにある自動販売機に行って自分のＩＣタグを自動販売機に提示するという行為を行う必要がある。
【０００９】
このように、上記従来技術では、迷子になったことを子供自身や会場係員が認識する必要があり、さらに居場所の連絡を行うための行為が必要であり（特許文献１）、あるいは、子供自身が自ら近くにある自動販売機に行って自分のＩＣタグを自動販売機に提示するという行為が必要であり（特許文献２）、迷子になったことを子供自身や会場係員が認識できない場合には、子供の位置を知ったり、子供の連れ去りや置き去りを防止したりすることができないという問題がある。
【００１０】
本発明の目的は、グループメンバー自身（迷子になったことを子供自身）や会場係員が認識しなくとも、グループメンバー（子供）の居場所を認識し、連絡を取ることを可能とするだけでなく、グルーピング情報（グループＩＤ）を確認することによってメンバー（子供）の連れ去りや置き去りの防止を可能とするグループメンバー位置監視システムおよびグループメンバー位置監視方法、ならびにそのためのプログラムを提供することである。
【課題を解決するための手段】
【００１１】
本発明は、上記目的を達成するために、次のような構成を採用する。
（１）本発明に係るグループメンバー位置監視システムは、施設内に入場するグループの各メンバーに装着されるＩＣチップの識別情報を保持するグループ用タグ（実施例の親子グループ用タグに対応）と、該グループ用タグに保持されている前記ＩＣチップの識別情報をグループ毎に異なるグループＩＤを付与してグループ化し、該ＩＣチップの識別情報を該付与されたグループＩＤとともにメンバー情報データベース（実施例の親子情報データベースに対応）に登録するタググループ処理手段（実施例の親子タググループ処理手段に対応）と、位置情報取得用リーダにより前記グループ用タグから前記ＩＣチップの識別情報を取得し、該取得したＩＣチップの識別情報と該位置情報取得用リーダの設置位置に対応して付与された位置番号を位置情報データベースに登録するグループ位置取得処理手段と、前記グループ用タグから取得したＩＣチップの識別情報により前記位置情報データベースおよび前記メンバー情報データベースを参照し、当該グループ用タグと同一グループに属する全てのグループ用タグの位置情報を表示装置に表示するグループ位置表示処理手段を具備することを特徴とする。
【００１２】
（２）上記において、グループ用タグを装着したメンバーが、予め決められた退場ゲート以外の出口を通過して退場した場合に、点滅光あるいは警告音を発する不正退場警告装置を設けたこと、また、グループ用タグを装着したメンバーが、予め決められた退場ゲートを通過して退場した場合に、正常退場とみなして前記メンバー情報データベースに退場日時を登録することを特徴とする
【００１３】
（３）上記において、前記タググループ処理手段は、前記ＩＣチップの識別情報、前記付与されたグループＩＤとともに、当該メンバーが保有する携帯電話端末のメールアドレスおよび／または携帯電話番号を取得し、前記メンバー情報データベースに登録すること、また、グループ用タグから読み取ったＩＣチップの識別情報により前記メンバー情報データベースを検索することにより、同一グループに属する他のメンバーが保有する携帯電話端末のメールアドレスおよび／または携帯電話番号を抽出して表示画面に表示することを特徴とする。
【００１４】
（４）本発明に係るグループメンバー位置監視方法は、グループ用タグが保持しているＩＣチップの識別情報をグループ毎に異なるグループＩＤを付与してグループ化するステップと、該ＩＣチップの識別情報を該付与されたグループＩＤとともにメンバー情報データベース（実施例の親子情報データベースに対応）に登録するタググループ処理ステップと、位置情報取得用リーダにより前記グループ用タグから前記ＩＣチップの識別情報を取得ステップと、該取得したＩＣチップの識別情報と該位置情報取得用リーダの設置位置に対応して付与された位置番号を位置情報データベースに登録するグループ位置取得処理ステップと、前記グループ用タグから取得したＩＣチップの識別情報により前記位置情報データベースおよび前記メンバー情報データベースを参照し、当該グループ用タグと同一グループに属する全てのグループ用タグの位置情報を表示装置に表示するグループ位置表示処理ステップとを有することを特徴とする。
【００１５】
（５）上記において、グループ用タグを装着したメンバーが、予め決められた退場ゲート以外の出口を通過して退場した場合に、不正退場警告装置により点滅光あるいは警告音を発するとともに、予め決められた退場ゲートを通過して退場した場合に、正常退場とみなして前記メンバー情報データベースに退場日時を登録するステップを有することを特徴とする。
【００１６】
（６）上記において、さらに、前記ＩＣチップの識別情報、前記付与されたグループＩＤとともに、当該メンバーが保有する携帯電話端末のメールアドレスおよび／または携帯電話番号を取得し、前記メンバー情報データベースに登録するステップと、グループ用タグから読み取ったＩＣチップの識別情報により前記メンバー情報データベースを検索することにより、同一グループに属する他のメンバーが保有する携帯電話端末のメールアドレスおよび／または携帯電話番号を抽出して表示画面に表示するステップを有することを特徴とする。
【００１７】
本発明に係るプログラムは、コンピュータを、上記各手段して機能させるためのプログラムである。
【発明の効果】
【００１８】
本発明を適用すると、敷地内に取り付けられた位置情報取得用リーダと各グループメンバーに取り付けられた親子グループ用タグのＩＣチップ情報によって入場者の同一グループの居場所を知ることやメールによる情報発信を行うことにより、メンバー（子供）の迷子の防止や迷子発生時の即時対応ができるだけでなく、敷地内に取り付けられた端末リーダによる不正退場の防止やグルーピングによるメンバー（子供）の連れ去りや置き去りの防止を行うことができる。
【図面の簡単な説明】
【００１９】
【図１】本発明に係るグループメンバー位置監視システムの一例としての、ＲＦＩＤを用いた敷地内子供迷子防止システムの全体構成を示す図である。
【図２】親子タググループ処理手段により行われる処理を説明するためのフローチャートである。
【図３】グループ位置取得処理手段により行われる処理を説明するためのフローチャートである。
【図４】グループ位置表示処理手段により行われる処理を説明するためのフローチャートである。
【図５】メール送信処理手段により行われる処理を説明するためのフローチャートである。
【図６】不正退場防止処理手段により行われる処理を説明するためのフローチャートである。
【図７】正常退場処理手段により行われる処理を説明するためのフローチャートである。
【図８】親子情報データベースのテーブル構造を示す図である。
【図９】位置情報データベースのテーブル構造を示す図である。
【図１０】親子タググループ処理の画面項目を示す図である。
【図１１】グループ位置表示処理の画面項目を示す図である。
【発明を実施するための形態】
【００２０】
＜全体構成＞
図1は、本発明に係るＲＦＩＤタグ（Radio Frequency Identificationタグ）を用いたグループメンバー位置監視システムの一実施例として子供の迷子を防止するための敷地内子供迷子防止システムの全体構成を示す図である。
【００２１】
本実施例に係る敷地内子供迷子防止システムは、同図に示すように、位置情報取得用リーダ１００１と表示端末１００２と端末リーダ１００３が、ネットワーク１００５を介して敷地内子供迷子防止装置１０１０として機能するサーバ１００６に接続されている。
【００２２】
また、予めグループを構成する各メンバー（本例では親と子供）の腕や胸など体の一部に、ＩＣチップ情報（無線ＩＣタグ番号）を保持したＩＣチップが内蔵されている親子グループ用タグ（ＲＦＩＤタグ）１００４を取り付ける。
【００２３】
敷地内子供迷子防止装置１０１０は、コンピュータ構成を有するサーバ１００６によって実現される。敷地内子供迷子防止装置１０１０として機能するサーバ１００６は、その構成要素であるＣＰＵとメモリを用い、外部からメモリに読み込んだプログラムをＣＰＵで実行することにより、親子タググループ処理手段１０１１，グループ位置取得処理手段１０１２，グループ位置表示処理手段１０１３，メール送信処理手段１０１４，不正退場防止処理手段１０１５，および正常退場処理手段１０１６として機能し、これにより敷地内子供迷子防止装置１０１０を構成する。
【００２４】
また、敷地内子供迷子防止装置１０１０は、本システムで扱うデータを格納するデータベースとして、親子情報データベース１０２０と位置情報データベース１０２１を備え、上記各手段からこれらのデータベースに対して情報の入出力が行われるように構成されている。
【００２５】
＜親子タググループ処理＞
図２は、親子タググループ処理手段１０１１により行われる処理を説明するためのフローチャートである。
【００２６】
親子グループ用タグ１００４のＩＣチップ情報（無線ＩＣタグ番号）をグルーピング化し、グルーピング情報（グループＩＤ）と紐付ける。
【００２７】
グループメンバー（本例では親子）の一人が腕や胸に装着している親子グループ用タグ１００４を端末リーダ１００３にかざしてそのＩＣチップ情報（無線ＩＣタグ番号）を取得し（ステップＳ２００１）、図示しないＰＣ（パーソナルコンピュータ）に取り込む。
【００２８】
次に、赤外線通信により、当該グループメンバーの一人が持っている携帯電話端末２００６のメール情報（メールアドレス）・携帯電話番号情報（電話番号）をＰＣ（パーソナルコンピュータ；赤外線通信機能を有するものとする）に取り込む（ステップＳ２００２）。なお、端末リーダ１００３が赤外線通信機能を具備している場合は、ステップＳ２００１とステップＳ２００２の処理を同時に行うことが可能である。
【００２９】
ステップＳ２００１で取得したＩＣチップ情報（無線ＩＣタグ番号）とステップＳ２００２で取得したメール情報（メールアドレス）・携帯電話番号情報（電話番号）を対応付けて（関連付けて）親子情報データベース２００７（図１の１０２０に対応）に送って登録する（ステップＳ２００３）。
【００３０】
同一グループの全てのメンバーに対して上記ステップＳ２００１〜ステップＳ２００３の処理を繰り返し（ステップＳ２００４：Ｎ）、同一グループの全てのメンバーに対してこの処理が終了したら（ステップＳ２００４：Ｙ）、親子タググループ処理手段１０１１の処理を終了する。
【００３１】
なお、グルーピング情報（グループＩＤ）としては、同一のグループに対しては同一のグルーピング情報（グループＩＤ）を用い、異なるグループに対しては異なるグルーピング情報（グループＩＤ）を用いる必要がある。グループ毎に、ステップＳ２００３での登録時にカウンタなどを用いてハードウェア的にグルーピング情報（グループＩＤ）を生成して付与するようにしても、プログラムによりソフトウェア的にグルーピング情報（グループＩＤ）を生成して付与するようにしてもよい。
【００３２】
また、同一のグループのメンバー（親子）に渡す複数の親子グループ用タグに予め同一のグルーピング情報（グループＩＤ）を保持させておき、これをステップＳ２００１でＩＣチップ情報（無線ＩＣタグ番号）と同時に取得するようにしてもよい。
【００３３】
最後に、このようにして取得したグルーピング情報（グループＩＤ）および無線ＩＣタグ番号と、ステップＳ２００３で取得したメール情報（メールアドレス）・携帯電話番号情報（電話番号）をセットにして親子情報データベース２００７に登録する。図１０は、このようにして親子情報データベース２００７に登録されたデータを表示した表示画面例であり、親子グループ番号「１００１」に属するグループの親子３人のメンバー毎の無線ＩＣタグ番号、メールアドレス、携帯電話番号の一例を示している。
【００３４】
なお、親子情報データベース２００７には、ステップＳ２００３において親子情報データベース２００７に登録した日時が入場日時として自動あるいは図示しないＰＣ（パーソナルコンピュータ）の入力装置を用いて手動で登録される（図８参照）。また、後述するように、退場ゲートを通過して正常退場処理を行ったときの日時が退場日時として登録される。
【００３５】
＜グループ位置取得処理＞
図３は、グループ位置取得処理手段１０１２により行われる処理を説明するためのフローチャートである。
【００３６】
本処理において、位置情報取得用リーダ１００１は、親子グループ用タグ１００４のＩＣチップ情報（無線ＩＣタグ番号）の受信を監視するリーダである。位置情報取得リーダ１００４は、例えば２ｍ位の読み取り可能範囲を有しており、腕や胸に親子グループ用タグ１００４を装着したグループの各メンバーが近傍を通過しただけでＩＣチップ情報（無線ＩＣタグ番号）を受信することが可能である。
【００３７】
グループ位置取得処理手段１０１２において、同図に示すように、まず親子グループ用タグ１００４のＩＣチップ情報（無線ＩＣタグ番号）を位置情報取得用リーダ１００１で受信する（ステップＳ３００１）。位置情報取得用リーダ１００１は、親子グループ用タグ１００４のＩＣチップ情報（無線ＩＣタグ番号）の受信を繰り返す（ステップＳ３００２）。
【００３８】
親子グループ用タグ１００４からＩＣチップ情報（無線ＩＣタグ番号）を受信したら、「位置情報」を位置情報データベース３００５に登録する（ステップＳ３００３）。ここで位置情報データベース３００５に登録される「位置情報」として、位置情報取得用リーダ１００１の番号（位置番号）と位置情報取得用リーダ１００１でＩＣチップ情報（無線ＩＣタグ番号）を取得した日時と親子グループ用タグ１００４から読み取ったＩＣチップ情報（無線ＩＣタグ番号）などを含めることができる。位置情報取得用リーダ１００１の番号（位置番号）は、予め敷地内のレイアウト中における具体的位置と対応付けられているものとする。
【００３９】
位置情報データベース３００５に登録された位置情報取得用リーダ１００１の番号（位置番号）と位置情報取得用リーダ１００１でＩＣチップ情報（無線ＩＣタグ番号）を取得した日時と親子グループ用タグ１００４から読み取ったＩＣチップ情報（無線ＩＣタグ番号）を参照することによって、入場者の位置（居場所）がわかる。
【００４０】
なお、同一のＩＣチップ情報（無線ＩＣタグ番号）に対する位置情報データベース３００５への登録は、上書登録するようにしてもよいし、以前の情報を残して順次追加登録するようにしてもよい。上書登録の場合は最新の居場所のみが把握でき、以前の情報を残して追加登録するようにした場合は、通過経路も把握できる。また日時も同時に表示するようにすれば何時どこを通過したのかもわかる。
【００４１】
＜グループ位置表示処理＞
図４は、グループ位置表示処理手段１０１３により行われる処理を説明するためのフローチャートである。
【００４２】
親子グループ用タグ１００４から表示用端末１００２でＩＣチップ情報（無線ＩＣタグ番号）を読み込む（ステップＳ４００１）。読み込んだＩＣチップ情報（無線ＩＣタグ番号）に基づき位置情報データベース４００５と親子情報データベース４００７を参照し同一グループに属する全てのメンバーに係る位置情報取得用リーダ１００１の番号（位置番号）を検索する（ステップＳ４００２）。
【００４３】
検索された位置情報取得用リーダ１００１の番号（位置番号）に対応付けられた敷地内のレイアウト中における具体的位置を表示端末４００６（図１の１００２に対応）に表示する（ステップＳ４００３）。
【００４４】
図１１は、このとき表示端末４００６（図１の１００２に対応）に表示される親子二人のメンバーの場合の表示画面の一例を示す図である。この表示画面により、グループメンバーの誰が何処にいるのかを視覚的に把握することができる。
【００４５】
なお、上述した例の如く、単に同一グループのメンバーの位置を表示するだけでよい場合は、携帯電話端末のメールアドレスや携帯電話番号を親子情報データベースに登録しておく必要はない。この場合、図１のステップＳ２００２、ステップＳ２００３、および図８における携帯電話端末のメールアドレスと携帯電話番号に関する記載は不要である。
【００４６】
また、後述する例のように、同一グループのメンバーに携帯電話端末を用いて連絡する場合、メールで連絡するか電話で連絡するかに応じて、携帯電話端末のメールアドレスあるいは携帯電話番号のいずれかを親子情報データベースに登録しておけばよいが、両方を登録しておけばメールにも電話にも対応できるため有効性がより高くなる。
【００４７】
親子情報データベースに携帯電話端末のメールアドレスおよび携帯電話番号の両方を登録しておき、ステップＳ４００１で読み込んだＩＣチップ情報（無線ＩＣタグ番号）に基づき該親子情報データベースを検索して同一グループに属する全てのメンバーに係る連絡先情報（メールアドレスと携帯電話番号）を抽出し、これらの連絡先情報を表示端末４００６のレイアウト表示の中に表示するようにすれば、同一グループに属する全てのメンバーの位置とその連絡先を表示画面上で把握することができる。
【００４８】
その結果、グループ内ではぐれそうなメンバーやはぐれてしまったメンバー（迷子）にメールあるいは電話により連絡することができるようになり、効果的に迷子を防止することが可能となる（次の＜メール送信処理＞参照）。
【００４９】
＜メール送信処理＞
図５は、メール送信処理手段１０１４により行われる処理を説明するためのフローチャートである。
【００５０】
メール送信処理手段１０１４では、同図に示すように、まず親子グループ用タグ１００４を端末リーダ１００３で読む（ステップＳ５００１）。読み取った無線ＩＣタグ番号より親子情報データベース５００５（図１の１０２０に対応、登録内容については図８参照）を検索し（ステップＳ５００２）、同一グループ内の他のメンバーの携帯電話のメールアドレスを表示させることにより取得し、該メールアドレスにメール情報を送信する。
【００５１】
なお、メールアドレスの代わりに携帯電話番号を表示させることにより取得し、該携帯電話番号に電話するようにしてもよい。このようにして、グループ内の他のメンバーにメール情報を送るまたは電話することによりグループ内メンバーに所望の情報を伝達することができる。
【００５２】
この構成により、例えば親子連れの場合、子供が保持している親子グループ用タグ１００４を端末リーダ１００３にかざして読み込ませて母親のメールアドレスを取得し、該メールアドレスにメールを送ることができ、逆に母親が保持している親子グループ用タグ１００４を端末リーダ１００３にかざして読み込ませて子供のメールアドレスを取得し、該メールアドレスにメールを送ることもできるようになり、特に迷子になったときなどに特に有効である。
【００５３】
次に、正常退場処理と不正退場処理について説明する。
ここで、正常退場とは退場ゲートにて端末リーダに親子グループ用タグを読み取らせることにより退場処理を行った場合の退場のことをいい、不正退場とは退場ゲート以外の外部との出口に設置された位置情報取得用リーダによる親子グループ用タグの読み取りだけで退場してしまう場合の退場のことをいうものとする。
【００５４】
＜不正退場防止処理＞
図６は、不正退場防止処理手段１０１５により行われる処理を説明するためのフローチャートである。
【００５５】
親子グループ用タグ１００４から無線ＩＣタグ番号を位置情報取得用リーダ１００１で受信する（ステップＳ６００１）。受信した無線ＩＣタグ番号より親子情報データベース６００６のグループ情報を検索する（ステップＳ６００２）。
【００５６】
不正退場、すなわち退場ゲート以外の出口を通過して退場したのか判断する（ステップＳ６００３）。不正退場である場合には、不正退場警告装置６００７によって点滅光あるいは警告音による不正退場警告を出して不正退場であることを知らせる（ステップＳ６００４）。不正退場を警告することにより、敷地内からグループの一人が退場ゲート以外の出口から勝手に出て行ってしまうのを防ぐことができる。
【００５７】
また、親子情報データベース６００６を参照し、不正退場処理を行った人の同一グループに属する他のメンバーのメールアドレスあるいは携帯電話番号を取得してメールまたは電話によって忠告（“誰々が不正退場を行おうとしています”など）を行うことも可能である。
【００５８】
＜正常退場処理＞
図７は、正常退場処理手段１０１６により行われる処理を説明するためのフローチャートである。
【００５９】
親子グループ用タグ１００４を端末リーダ１００３で読む（ステップＳ７００１）。無線ＩＣタグ番号より親子情報データベース７００６のグループ情報を検索する（ステップＳ７００２）。
【００６０】
正常退場、すなわち退場ゲートにて端末リーダに親子グループ用タグを読み取らせることにより退場処理を行ったか否かを判断する（ステップＳ７００３）。正常退場である場合には、親子情報データベース７００６に退場日時を書き込む（ステップＳ７００４）。
【００６１】
上記実施例では、主に親子グループにおける迷子防止について具体的に説明したが、必ずしも親子グループである必要はなく、より一般的なグループ、例えば親子以外の家族連れ，会社の同僚あるいは学校仲間などの任意のグループに適用してもよいことは明らかである。
【００６２】
また、本発明でいう敷地（施設）は、例えば遊園地、公園、デパート、病院、展覧会場、博覧会、見本市、博物館、テーマパーク、野球場、サッカー場などのいずれでもよいことはいうまでもない。
【００６３】
同一グループのメンバー全員が正常退場したか否かは、親子情報データベースの退場日時が登録されているか否かにより判断でき、メンバー全員が正常退場している場合は、敷地内にそのグループのメンバーが施設内に取り残されていないことを確認できる。
【００６４】
本発明における親子タググループ処理手段１０１１，グループ位置取得処理手段，グループ位置表示処理手段，メール送信処理手段，不正退場防止処理手段，および正常退場処理手段は、敷地内子供迷子防止装置（サーバ）を構成するＣＰＵやメモリなどのハードウェア資源を用いて上記各手段に対応するプログラムを実行することにより実現される。
【００６５】
また、上記親子タググループ処理手段１０１１，グループ位置取得処理手段，グループ位置表示処理手段，メール送信処理手段，不正退場防止処理手段，および正常退場処理手段に対応するプログラムは、ＦＤ，ＣＤ−ＲＯＭ、ＤＶＤなどの記録媒体や、インターネットなどのネットワークを介して市場に流通させることができる。
【符号の説明】
【００６６】
１００１：位置情報取得用リーダ
１００２：表示端末
１００３：端末リーダ
１００４：親子グループ用タグ（グループ用タグ）
１００５：ネットワーク
１００６：サーバ
１０１０：敷地内子供迷子防止装置（サーバ）
１０１１：親子タググループ処理手段（タググループ処理手段）
１０１２：グループ位置所得処理手段
１０１３：グループ位置表示処理手段
１０１４：メール送信処理手段
１０１５：不正退場防止処理手段
１０１６：正常退場処理手段
１０２０，２００７，４００７，５００５，６００６，７００６：親子情報データベース（メンバー情報データベース）
１０２１，３００５，４００５：位置情報データベース
２００６：携帯電話端末
４００６:表示端末
６００７：不正退場警告装置
【図１】
2010182156.tif 000003
【図２】
2010182156.tif 000004
【図３】
2010182156.tif 000005
【図４】
2010182156.tif 000006
【図５】
2010182156.tif 000007
【図６】
2010182156.tif 000008
【図７】
2010182156.tif 000009
【図８】
2010182156.tif 000010
【図９】
2010182156.tif 000011
【図１０】
2010182156.tif 000012
【図１１】
2010182156.tif 000013